(57)【特許請求の範囲】
【請求項１】
固形状ペットフードに、乾燥魚介類小片、乾燥肉類小片および乾燥海藻類小片の少なくとも１種を固形状ペットフードの重量に基づいて０．５〜３０重量％の割合で混合した、混合後に成型加工が施されていない、１食分または１日分ずつ個別包装されているペットフードであって；
固形状ペットフードが、粒径が１５０μｍを超える粒子の含有割合が３０重量％以下で且つ粒径が３５０μｍを超える粒子の含有割合が１０重量％以下であるペットフード用原料を造粒または成形して製造した固形状ペットフードであり；かつ、
乾燥魚介類小片、乾燥肉類小片および乾燥海藻類小片が、長さが５〜５０ｍｍおよび幅が２〜２０ｍｍの細片状、或いは直径が３〜２０ｍｍおよび長さが２〜５０ｍｍの小片状をなしている；
ことを特徴とするペットフード。
【請求項２】
乾燥魚介類小片が、いりこ、乾燥白身魚小片、乾燥赤身魚小片、乾燥貝類小片、乾燥イカ小片、乾燥タコ小片または乾燥甲殻類小片であり、乾燥肉類小片が乾燥ささみ小片、乾燥ビーフ小片、乾燥ポーク小片または動物の乾燥内臓小片であり、乾燥海藻類小片が乾燥した昆布、ワカメ、ヒジキまたは海苔の小片である請求項１に記載のペットフード。
【請求項３】
トレーに個別包装されている請求項１または２に記載のペットフード。
【発明の詳細な説明】
【０００１】
【発明の属する技術分野】
本発明は、ペットフードに関する。より詳細には、本発明は、犬や猫などのペット類による嗜好性が良好で、しかも栄養バランスおよび消化吸収性に優れるペットフードに関する。
【０００２】
【従来の技術】
犬や猫などのペット類は、本来野生の状態では、獲物を捕獲して生のままで摂取していたが、ペットとして飼われることによって、人が加工・調理した食材を摂取することで、その食生活が大きく変化してきた。近年、ペットフードの普及により、加工・調理の一層進んだ食材がペットに与えられるようになっている。
【０００３】
市販のペットフードは、水分含量が通常５０重量％以上のモイストタイプ、水分含量が通常約２０〜４０重量％程度であるセミモイストタイプおよび水分含量が通常約１０重量％以下のドライタイプに大別される。そのうちで、ドライタイプまたはセミモイストタイプのペットフードは、一般に粒状、ペレット状、フレーク状、ステック状、ドーナツ状、星形などの固形状の形態で生産、販売されているが、取り扱い易さ、保存性の良さなどの点から近年その需要がますます増加している。
【０００４】
しかしながら、水分含量の低いドライタイプまたはセミモイストタイプの固形状ペットフード、特にドライタイプの固形状ペットフードは、他のペットフードと比較すると相対的に嗜好性が低く、また同じものを与え続けると飽きがくることから、ペットに与えても充分に摂取されない場合が多い。
【０００５】
【発明が解決しようとする課題】
本発明の目的は、犬や猫などのペット類による嗜好性が良好で、栄養バランスに優れ、ペット類に飽きられない、ドライタイプやセミモイストタイプの固形状ペットフードをベースにしたペットフードを提供することである。
【０００６】
【課題を解決するための手段】
上記の目的を達成すべく本発明者らが検討を重ねた結果、固形状ペットフードに、乾燥魚介類小片、乾燥肉類小片および乾燥海藻類小片から選ばれる少なくとも１種を所定の割合で配合すると、ペット類による嗜好性が向上し、さらに栄養バランスに優れたものになり、しかも継続して給与してもペット類による飽きが少なく、摂餌性に優れていることを見出した。
また、本発明者らは、その際に、固形状ペットフードとして、特に粒径が１５０μｍを超える粒子の含有割合が３０重量％以下で且つ粒径が３５０μｍを超える粒子の含有割合が１０重量％以下であるようにして微粉砕したペットフード用原料を用いて造粒または成形を行って得られたものを用いると、前記した嗜好性の向上と併せて、消化吸収性に優れ、しかも流動性に優れていて取り扱い性が良好であり、さらには表面が滑らかで外観に優れる固形状ペットフードが得られることを見出し、それらの種々の知見に基づいて本発明を完成した。
【０００７】
すなわち、本発明は、
（１）  固形状ペットフードに、乾燥魚介類小片、乾燥肉類小片および乾燥海藻類小片の少なくとも１種を固形状ペットフードの重量に基づいて０．５〜３０重量％の割合で混合した、混合後に成型加工が施されていない、１食分または１日分ずつ個別包装されているペットフードであって；
固形状ペットフードが、粒径が１５０μｍを超える粒子の含有割合が３０重量％以下で且つ粒径が３５０μｍを超える粒子の含有割合が１０重量％以下であるペットフード用原料を造粒または成形して製造した固形状ペットフードであり；かつ、
乾燥魚介類小片、乾燥肉類小片および乾燥海藻類小片が、長さが５〜５０ｍｍおよび幅が２〜２０ｍｍの細片状、或いは直径が３〜２０ｍｍおよび長さが２〜５０ｍｍの小片状をなしている；
ことを特徴とするペットフードである。
【０００８】
そして、本発明は、
（２）  乾燥魚介類小片が、いりこ、乾燥白身魚小片、乾燥赤身魚小片、乾燥貝類小片、乾燥イカ小片、乾燥タコ小片または乾燥甲殻類小片であり、乾燥肉類小片が乾燥ささみ小片、乾燥ビーフ小片、乾燥ポーク小片または動物の乾燥内臓小片であり、乾燥海藻類小片が乾燥した昆布、ワカメ、ヒジキまたは海苔の小片である前記（１）のペットフード；および、
（３）  トレーに個別包装されている前記（１）または（２）のペットフード；
を好ましい態様として包含する。
【０００９】
【発明の実施の形態】
本発明のペットフードは、犬、猫、ウサギ、モルモット、九官鳥などのペット類に給与されるフードである。
本発明のペットフードでベース材料として用いる固形状ペットフードは、粒径が１５０μｍを超える粒子の含有割合が３０重量％以下で且つ粒径が３５０μｍを超える粒子の含有割合が１０重量％以下であるペットフード用原料を造粒または成形して得られる固形状ペットフードであって、流通、保存、販売、ペット類への給与時などの取扱い時に、大きな変形や崩れなどを生ずることなく、その固体形状を保持できるものであればいずれでもよく、ドライタイプまたはセミモイストタイプのペットフードが包含される。
そのうちでも、本発明では、固形状ペットフードとして、ドライタイプのものを用いることが、取り扱い性、製造の容易性、保存性などの点で優れていることから好ましい。水分含量が１０重量％以下のドライタイプの固形状ペットフードを使用すると、保存安定性に一層優れるペットフードを得ることができる。
また、本発明で用いる固形状ペットフードの形状は特に限定されず、例えば、ペレット状、粒状、スティク状、ドーナツ状、星形、ボーン形などの所望の形状の固形状を呈していることができる。
さらに、本発明で用いる固形状ペットフードの大きさは特に制限されず、給与するペットの種類などに応じて決めることができ、例えば、ペレット状のものでは、直径を５〜１０ｍｍ程度、長さを１０〜１５ｍｍ程度にすると、犬または猫への給餌が容易で、嗜好性にも優れる。
【００１０】
本発明のペットフードは、上記した固形状ペットフードに対して、乾燥魚介類小片、乾燥肉類小片および乾燥海藻類小片の少なくとも１種を混合した混合物である。本発明のペットフードは、乾燥魚介類小片、乾燥肉類小片および乾燥海藻類小片の少なくとも１種を混合含有することによって、固形状ペットフードのみを給与した場合に比べて、ペット類による嗜好性が大幅に向上し、しかもペット類に繰り返し給与しても飽きが生じず、摂餌性に優れている。
乾燥魚介類小片としては、いりこ、乾燥白身魚小片（例えば乾燥タラ小片、乾燥タイ小片、乾燥ヒラメ小片、乾燥カレイ小片など）、乾燥赤身魚小片（例えば乾燥イワシ小片、乾燥アジ小片、乾燥サバ小片、乾燥マグロ小片、乾燥サケ小片など）、乾燥貝類小片（例えば乾燥シジミ、乾燥アサリ、乾燥ハマグリ小片、乾燥ミル貝小片、乾燥ホタテ小片、乾燥ホタテヒモ小片、乾燥アオヤギ小片など）、乾燥イカ小片、乾燥タコ小片、乾燥エビ、乾燥オキアミ、乾燥カニなどの乾燥甲殻類の小片などを挙げることができる。また、乾燥肉類小片としては、乾燥ささみ小片、乾燥ビーフ小片、乾燥ポーク小片、家畜類の乾燥内臓小片（例えば、レバー、腸、心臓、肺などの乾燥小片）などを挙げることができる。また、乾燥海藻類小片としては、乾燥した昆布、ワカメ、ヒジキまたは海苔の小片などを挙げることができる。
本発明のペットフードは、上記した、乾燥魚介類小片、乾燥肉類小片および乾燥海藻類小片の１種または２種以上を混合含有することができる。そのうちでも、本発明のペットフードは、いりこ、乾燥白身魚小片、乾燥ささみ小片、乾燥ビーフ小片のうちの１種または２種以上を混合含有することがペット類による嗜好性がより良好であり、しかもカルシウムの補給や、蛋白質の補給などができ、栄養面でも高いものとなるので好ましい。
【００１１】
固形状ペットフードに混合する乾燥魚介類小片、乾燥肉類小片および乾燥海藻類小片の少なくとも１種の大きさは、長さが５〜５０ｍｍおよび幅が２〜２０ｍｍの細片状［例えば、いりこ、乾燥白身魚小片、乾燥ササミ小片（ササミジャーキ）、乾燥ビーフ小片（ビーフジャーキ）など］であるか、或いは直径が３〜２０ｍｍおよび長さが２〜５０ｍｍの小片状である。小さな魚については粉砕せずに、そのまま用いても良い。
乾燥魚介類小片および乾燥肉類小片の少なくとも１種における水分含量は、１０重量％以下であることが、長期保存性などの点から好ましい。
【００１２】
ペットフードにおける乾燥魚介類小片、乾燥肉類小片および乾燥海藻類小片の少なくとも１種の混合量は、固形状ペットフードの重量に基づいて０．５〜３０重量％である。乾燥魚介類小片、乾燥肉類小片および乾燥海藻類小片の少なくとも１種の混合量が、固形状ペットフードの重量に基づいて０．５重量％未満であるとペット類による嗜好性が向上せず、単調で継続して給与すると飽きを生じ、一方３０重量％以上であるとペットフードの栄養バランスの崩れや消化吸収性の低下を生じ易くなり、しかもペットに給与したときに乾燥魚介類小片、乾燥肉類小片および乾燥海藻類小片の少なくとも１種のみを優先的に摂取し、固形状ペットフードの方を多く食べ残し、かかる点からも栄養バランスの崩れや消化吸収性の低下を生ずるという問題が起こり易くなる。
ペット類による嗜好性、栄養バランス、消化吸収性の向上、ペット類が添加した乾燥魚介類小片、乾燥肉類小片および乾燥海藻類小片の少なくとも１種のみを優先的に摂取せずにペットフード全体をバランス良く摂取するという点、さらにはコストなどを考慮すると、乾燥魚介類小片、乾燥肉類小片および乾燥海藻類小片の少なくとも１種の含有量は、固形状ペットフードの重量に基づいて１〜２０重量％であることが好ましく、１〜１０重量％であることがより好ましい。
【００１３】
本発明では、固形状ペットフードとして、本発明者らが先に開発した、微粉砕されたペットフード用原料を用いて造粒または成形して得られる特願平１１−３５５３１２号（特開２００１−１６１２８３号）に記載されている固形状ペットフードを用いる。すなわち、本発明では、固形状ペットフードとして、粒径が１５０μｍを超える粒子の含有割合が３０重量％以下で且つ粒径が３５０μｍを超える粒子の含有割合が１０重量％以下であるペットフード用原料を用いて造粒または成形して製造した固形状ペットフードを用いる。固形状ペットフードとしては、粒径が１５０μｍを超える粒子の含有割合が２５重量％以下で且つ粒径が３５０μｍを超える粒子の含有割合が５重量％以下であるペットフード用原料を用いて造粒または成形して製造した固形状ペットフードが好ましく用いられる。
本発明では、固形状ペットフードとして、前記した特願平１１−３５５３１２号（特開２００１−１６１２８３号）に記載されてものを用いていることによって、ペットによる消化吸収性が一層良好になり、しかも固形状ペットフードの表面の平滑性が向上して、流動性、取り扱い性、外観により優れたものとなる。
【００１４】
ここで、上記における「粒径が１５０μｍを超える粒子の含有割合」は、固形状ペットフードの製造に用いる原料全体を目開き１５０μｍの篩を用いて分級し、原料全体の重量に対する、目開きが１５０μｍの篩上に残留した粒子の割合（重量％）を言う。また、上記における「粒径が３５０μｍを超える粒子の含有割合」は、固形状ペットフードの製造に用いる原料全体を目開き３５０μｍの篩を用いて分級し、原料全体の重量に対する、目開きが３５０μｍの篩上に残留した粒子の割合（重量％）を言う。
【００１５】
本発明のペットフードで用いる固形状ペットフードでは、使用する原料の種類、配合割合などは特に限定されず、対象とするペットの種類などに応じて、適宜選択することができ、例えばトウモロコシ、小麦粉、肉粉、魚粉、大豆粕、大豆粉、油脂類、ビタミン類、ミネラル類、食塩、調味料などを使用して製造することができる。固形状ペットフードと組み合わせて用いる乾燥魚介類小片および乾燥肉類小片の少なくとも１種の種類や混合量などに応じて、固形状ペットフードの製造に用いる原料の種類や配合割合を調整することによって、ペットフード全体の栄養バランスを調整することができる。
【００１６】
本発明で用いる、粒径が１５０μｍを超える粒子の含有割合が３０重量％以下で且つ粒径が３５０μｍを超える粒子の含有割合が１０重量％以下であるペットフード用原料を用いて造粒または成形して製造した固形状ペットフードは、（１）上記したような固形状ペットフード用原料を予め混合し、それを粉砕機を用いて粒径が１５０μｍを超える粒子の含有割合が３０重量％以下で且つ粒径が３５０μｍを超える粒子の含有割合が１０重量％以下になるまで微粉砕し、それにより得られた微粉砕固形状ペットフード用原料を用いて造粒または成形を行って製造する方法、（２）それぞれの固形状ペットフード用原料を予め個別に微粉砕してから混合して、粒径が１５０μｍを超える粒子の含有割合が３０重量％以下で且つ粒径が３５０μｍを超える粒子の含有割合が１０重量％以下である混合物を調製し、その混合物を用いて造粒または成形を行って製造する方法などによって製造することができる。そのうちでも、固形状ペットフードの製造に必要な原料を予め混合した後に微粉砕し、それを用いて造粒または成形を行う前記（１）の方法が、粒径が１５０μｍを超える粒子および粒径が３５０μｍを超える粒子の含有割合の調整が容易であり、栄養成分の調整が容易であり、しかも工程的に簡便であり、望ましい。
【００１７】
その際に、固形状ペットフード用原料の粉砕方法や粉砕装置の種類は特に制限されず、固形状ペットフード用原料を円滑に微粉砕できる方法および装置であればいずれも使用できる。例えば、ハンマーミル、ピンミル、パルベライザー、ターボ型ミルなどの衝撃式粉砕機などを用いて粉砕することができる。
また、固形状ペットフードを製造するための造粒法や成形法、造粒装置や成形装置は特に制限されず、固形状ペットフードの製造に従来から用いられている造粒または成形の方法や装置のいずれもが採用できる。例えば、エクストルーダー、前スクリュー式押し出し造粒機、横スクリュー式押し出し造粒機、ペレットミルなどの押し出し造粒機、ドラム型転動造粒機、皿型転動造粒機、振動型転動造粒機などの転動造粒機、打錠機、プリケッターマシンなどの圧縮型造粒機などを挙げることができ、そのうちでも押し出し造粒機が好ましく用いられる。
造粒または成形時の条件も特に制限されず、固形状ペットフードの製造において従来から採用されているのと同様の条件で行うことができる。例えば、押し出し造粒機を用いてペレット状の固形状ペットフードを製造する場合は、一般に、コンディショナー温度６０℃〜１００℃、バレル先端内部圧力３０〜７０バール、バレル先端内部温度９０℃〜１６０℃が好ましく採用される。
【００１８】
本発明のペットフードは、固形状ペットフードに乾燥魚介類小片、乾燥肉類小片および乾燥海藻類小片の少なくとも１種を混合したものであって、混合後に成型加工を施されておらず、１食分または１日分ずつ、袋、トレーなどの容器に個別包装されてあるため、取り扱い性などの点から好ましい。しかも、本発明のペットフードは、個別包装されていることにより、固形状ペットフードに対して乾燥魚介類小片、乾燥肉類小片および乾燥海藻類小片の少なくとも１種を所定量で混合含有するペットフードをペットに確実に給与することができ、ペットフードに給与される固形状ペットフードと乾燥魚介類小片、乾燥肉類小片および乾燥海藻類小片の少なくとも１種の割合の変動が生じない。個別包装する際の容器の材質や形状などは特に制限されないが、間口の広いトレー状にしておくと、トレーのシールを開放してトレーをそのまま給餌容器（給餌皿）として用いてペットフードをそのまま直接給与でき、便利である。トレーの材質は特に制限されず、例えば、プラスチックシート、２種以上のプラスチックの積層シート、プラスチックと紙、金属箔、布帛などの他の材料との積層シート、金属シート、厚紙などを用いて形成することができる。
【００１９】
【実施例】
以下に実施例などにより本発明を具体的に説明するが、本発明は以下の例により限定されない。
【００２０】
《実施例１》［ドッグフードの製造］
（１）  下記の表１に示す組成を有する固形状ドッグフード用の原料混合物を準備した。
【００２１】
【表１】
0004471442.tif 000002
【００２２】
（２）  上記（１）で準備した固形状ドッグフード用の原料混合物を、ターボ工業株式会社製粉砕機「Ｔｕｒｂｏ  Ｍｉｌｌ  Ｔ−４０−４型」を用いて粉砕して、粒径が１５０μｍを超える粒子の含有割合が２０重量％および粒径が３５０μｍを超える粒子の含有割合が３重量％である固形状ドッグフード用の粉砕された原料混合物を製造した。
（３）  上記（２）で得られた固形状ドッグフード用の粉砕された原料混合物を用いて、エクストルーダー（ジョーダ鉄工株式会社製「ＥＰ−５０」）を使用して、エクストルーダーへの原料混合物の供給量６０ｋｇ／時、エクストルーダーへの給水量１３リットル／時、混練温度７０℃〜９０℃、バレル先端温度１００℃〜１３０℃、バレル先端圧力５〜１０バールの条件下に押出成形してストランド状に押し出した後、切断し、それを１２０℃で乾燥して、水分含量が８％のペレット状の固形状ドッグフード（ドライタイプ）を製造した。
これにより得られた固形状ドッグフードの飼料エネルギー量は、３３０Ｋｃａｌ／１００ｇであった。これにより得られた固形状ドッグフードは、粗粉のつぶつぶがなく、滑らかで良好を外観を有しており、しかも流動性に優れていた。
【００２３】
（４）  上記（３）で得られた固形状ドッグフードに、固形状ドッグフードの重量に基づいて、いりこ（水分含量約１０重量％、平均長さ約３０ｍｍ）を下記の表２に示す割合で均一に混合して、いりこ入りのドッグフードを製造した。
【００２４】
（５）  小型犬を１８頭（平均体重７ｋｇ／頭）準備し、無作為に６群に分けた。
（６）  それぞれの群の小型犬３頭に、実験番号１〜６のドッグフードを時間を限って（３０分間）摂取させて、その摂餌量（食下量）、摂取したドッグフードにおけるいりこの摂取割合を調べたところ、下記の表２に示すとおりであった。
【００２５】
【表２】
0004471442.tif 000003
【００２６】
上記の表２の結果から、固形状ドッグフードの重量に基づいていりこを０．５〜３０重量％の範囲内で含有する実験番号２〜５のドッグフード、特に実験番号２〜４のドッグフードは、ドッグフード全体の摂取量が多くて犬による嗜好性が高いこと、しかも固形状ドッグフードといりことを、給与されたドッグフードにおけるそれぞれの含有量とほぼ同じであるか又はそれに近い割合でバランス良く摂取していることがわかる。また、実験番号２〜５のドッグフードは、いりこを含有していることにより、犬へのカルシウム分の補給が十分に行われる。一方、実験番号１のドッグフードは、いりこを含有していないことにより、犬による摂餌性が実験番号２〜５のドッグフードに比べて大幅に低いことがわかる。また、いりこの含有量が４０重量％と高い実験番号６のドッグフードは、実験番号２〜６のドッグフードに比べて犬による摂取量が低く、しかも犬がドッグフード中のいりこのみを優先的に摂取し、固形状ドッグフードの方を多く食べ残している。そのため、実験番号６のドッグフードでは、犬に給与されるカルシウム分が多すぎ、それに伴って他の栄養分（炭水化物など）の給与量が低減し、栄養バランスの点で劣っている。
【００２７】
《実施例２》［ドッグフードの製造］
（１）  いりこの代わりに乾燥ささみ小片（水分含量８重量％、直径５ｍｍ、長さ７ｍｍ）を用いた以外は、実施例１と同様にして乾燥ささみ小片入りのドッグフードを製造した。
（２）  小型犬を１８頭（平均体重７ｋｇ／頭）準備し、無作為に６群に分けた。
（３）  それぞれの群の小型犬３頭に、実験番号１〜６のドッグフードを時間を限って（３０分間）摂取させて、その摂餌量（食下量）、摂取したドッグフードにおける乾燥ささみ小片の摂取割合を調べたところ、下記の表３に示すとおりであった。
【００２８】
【表３】
0004471442.tif 000004
【００２９】
上記の表３の結果から、固形状ドッグフードの重量に基づいて乾燥ささみ小片を０．５〜３０重量％の範囲内で含有する実験番号８〜１１のドッグフードは、ドッグフード全体の摂取量が多くて犬による嗜好性が高いこと、しかも固形状ドッグフードと乾燥ささみ小片とを、給与されたドッグフードにおけるそれぞれの含有量とほぼ同じ割合かまたはそれに近い割合でバランス良く摂取していることがわかる。また、実験番号８〜１１のドッグフードは、乾燥ささみ小片を含有していることにより、犬への蛋白質の補給が十分に行われる。一方、実験番号７のドッグフードは、乾燥ささみ小片を含有していないことにより、犬による摂餌性が実験番号８〜１１のドッグフードに比べて大幅に低いことがわかる。また、乾燥ささみ小片の含有量が４０重量％と高い実験番号１２のドッグフードは、犬がドッグフード中の乾燥ささみ小片のみを優先的に摂取し、固形状ドッグフードの方を多く食べ残している。そのため、実験番号１２のドッグフードでは、犬に給与される蛋白質分が多すぎ、それに伴って他の栄養分（炭水化物やカルシウム分など）の給与量が低減し、栄養バランスの点で劣っている。
【００３０】
《実施例３》［キャットフードの製造］
（１）  下記の表４に示す組成を有する固形状キャットフード用の原料混合物を準備した。
【００３１】
【表４】
0004471442.tif 000005
【００３２】
（２）  上記（１）で準備した固形状キャットフード用原料混合物を用いて、エクストルーダー（ジョーダ鉄工株式会社製「ＥＰ−５０」）を使用して、エクストルーダーへの原料混合物の供給量６０ｋｇ／時、エクストルーダーへの給水量１３リットル／時、混練温度７０℃〜９０℃、バレル先端温度１００℃〜１３０℃、バレル先端圧力５〜１０バールの条件下に押出成形してストランド状に押し出した後、切断し、それを１２０℃で乾燥して、水分含量が８％のペレット状の固形状キャットフード（ドライタイプ）を製造した。
これにより得られた固形状キャットフードの飼料エネルギー量は、３４０Ｋｃａｌ／１００ｇであった。
【００３３】
（３）  上記（３）で得られた固形状キャットフードに、固形状キャットフードの重量に基づいて、乾燥白身魚小片（主にタラからなる；水分含量約１０重量％、平均長さ約２５ｍｍ、平均幅約１０ｍｍ）を下記の表５に示す割合で均一に混合して、乾燥白身魚小片入りのキャットフードを製造した。
【００３４】
（５）  雑種猫を１８頭（平均体重４．０ｋｇ／頭）準備し、無作為に６群に分けた。
（６）  それぞれの群の猫３頭に、実験番号１３〜１８のキャットフードを時間を限って（６０分間）摂取させて、その摂餌量（食下量）、摂取したキャットフードにおける乾燥白身魚小片の摂取割合を調べたところ、下記の表５に示すとおりであった。
【００３５】
【表５】
0004471442.tif 000006
【００３６】
上記の表５の結果から、固形状キャットフードの重量に基づいて乾燥白身魚小片を０．５〜３０重量％の範囲内で含有する実験番号１４〜１７のキャットフードは、キャットフード全体の摂取量が多くて猫による嗜好性が高いこと、しかも固形状キャットフードと乾燥白身魚小片とを、給与されたキャットフードにおけるそれぞれの含有量とほぼ同じかまたはそれに近い割合でバランス良く摂取していることがわかる。また、実験番号１４〜１７のキャットフードは、乾燥白身魚小片を含有していることにより、猫への蛋白質の補給が十分に行われる。一方、実験番号１３のキャットフードは、乾燥白身魚小片を含有していないことにより、猫による摂餌性が実験番号１４〜１７のキャットフードに比べて大幅に低いことがわかる。また、乾燥白身魚小片の含有量が４０重量％と高い実験番号１８のキャットフードは、猫がキャットフード中の乾燥白身魚小片のみを優先的に摂取し、固形状キャットフードの方を多く食べ残している。そのため、実験番号１８のキャットフードでは、猫に給与される蛋白質分が多すぎ、それに伴って他の栄養分（炭水化物やカルシウム分など）の給与量が低減し、栄養バランスの点で劣っている。
【００３７】
《実施例４》［キャットフードの製造］
（１）  乾燥白身魚小片の代わりに乾燥ささみ小片（水分含量８重量％、直径５ｍｍ、長さ７ｍｍ）を用いた以外は、実施例３と同様にして乾燥ささみ小片入りのキャットフードを製造した。
（２）  雑種猫を１８頭（平均体重３．５ｋｇ／頭）準備し、無作為に６群に分けた。
（３）  それぞれの群の猫３頭に、実験番号１９〜２４のキャットフードを時間を限って（６０分間）摂取させて、その摂餌量（食下量）、摂取したキャットフードにおける乾燥ささみ小片の摂取割合を調べたところ、下記の表６に示すとおりであった。
【００３８】
【表６】
0004471442.tif 000007
【００３９】
上記の表６の結果から、固形状キャットフードの重量に基づいて乾燥ささみ小片を０．５〜３０重量％の範囲内で含有する実験番号２０〜２３のキャットフードは、キャットフード全体の摂取量が多くて猫による嗜好性が高いこと、しかも固形状キャットフードと乾燥ささみ小片とを、給与されたキャットフードにおけるそれぞれの含有量とほぼ同じかまたはそれに近い割合でバランス良く摂取していることがわかる。また、実験番号２０〜２３のキャットフードは、乾燥ささみ小片を含有していることにより、猫への蛋白質の補給が十分に行われる。一方、実験番号１９のキャットフードは、乾燥ささみ小片を含有していないことにより、猫による摂餌性が実験番号２０〜２３のキャットフードに比べて大幅に低いことがわかる。また、乾燥ささみ小片の含有量が４０重量％と高い実験番号２４のキャットフードは、猫がキャットフード中の乾燥ささみ小片のみを優先的に摂取し、固形状キャットフードの方を多く食べ残している。そのため、実験番号２４のキャットフードでは、猫に給与される蛋白質分が多すぎ、それに伴って他の栄養分（炭水化物やカルシウム分など）の給与量が低減し、栄養バランスの点で劣っている。
【００４０】
【発明の効果】
本発明のペットフードは、犬や猫などのペット類による嗜好性が良好であり、ペットが好んで食し、しかも栄養バランスの点でも優れている。そして、ペット類に継続して給与しても、飽きがこず、摂餌性に優れている。
本発明のペットフードでは、ペット類が、乾燥魚介類小片、乾燥肉類小片および乾燥海藻類小片の少なくとも１種のみを優先的に摂取せず、固形状ペットフードと、乾燥魚介類小片、乾燥肉類小片および乾燥海藻類小片の少なくとも１種の両方を、バランス良く摂取するので、かかる点からも栄養バランスの点で優れている。
さらに、本発明のペットフードでは、固形状ペットフードとして、粒径が１５０μｍを超える粒子の含有割合が３０重量％以下で且つ粒径が３５０μｍを超える粒子の含有割合が１０重量％以下であるペットフード用原料を造粒または成形して製造した固形状ペットフードを用いているので、上記した良好な嗜好性と併せて、流動性、充填・包装、流通、保存、販売、ペットへの給与時などでの取り扱い性に優れており、しかも表面が滑らかで、外観に優れている。